(57)【要約】【目的】  地震の揺れが発生した時に扉をロックすると共に、地震などがない通常の状態では、開け閉めが容易な、扉をラッチさせるための通常の装置としても使用可能な耐震ロック装置を提供する。【構成】  この考案の耐震ロック装置１は、ロック装置本体２と、掛止部材７とから構成される。ロック装置本体２は、本体ケース１０と、本体ケース１０に一部が収納された回動部材２０と、回動部材２０を係止する、本体ケース１０の回動係止部材収納部に収納された回動係止部材２５と、振動感知手段とから概略構成される。地震などによる強い揺れが発生すると、振動感知手段の球体３０が球面部４１２の球面に沿って前後・左右へ揺動したり上下へ振動し、球体３０に載置された可動片３５が上下動する。この可動片３５の上下動により、回動係止部材２５の可動切片２６４が蓋部４５の方向へ押し上げられ、回動部材２０の係止により扉がロックされる。【選択図】図５
0003120011.tif 000002
【実用新案登録請求の範囲】
【請求項１】
ロック装置本体と、掛止部材とを具備する耐震ロック装置において、
前記ロック装置本体は、
回動軸を軸として回動可能な回動部材と、
前記回動部材に係合する弾性部材と、
中心を凹とする球面部と、前記球面部に載置され、振動により揺動する球体と、前記球体に載置され、前記球体の揺動を上下動の動作に変換する可動片と、を有する振動感知手段と、
振動を感知することにより上下動する前記可動片の動作により揺動し、当該揺動により前記回動部材に当接することで前記回動部材の回動を不可とする、軸部を軸として揺動可能な回動係止部材と、を備えることを特徴とする耐震ロック装置。
【請求項２】
前記回動部材は、前記弾性部材が係合することにより前記掛止部材の掛け止めを保持する第一の係合溝と、前記弾性部材が係合することにより前記掛止部材の掛け止めの解除を保持する第二の係合溝と、を有することを特徴とする請求項１に記載の耐震ロック装置。
【請求項３】
請求項１または請求項２に記載の耐震ロック装置を取り付けるための耐震ロック装置取付器具において、
前記ロック装置本体を嵌め合わせる第一の面と、
前記第一の面の一辺に垂直に設けられ、前記ロック装置本体の取り付け位置を設定する起立片と、
前記第一の面の一辺に、前記起立片と反対の方向に垂直に設けられ、前記掛止部材の取り付け位置に残痕を与える残痕爪を備える第二の面と、
を具備する耐震ロック装置取付器具。
【考案の詳細な説明】
【技術分野】
【０００１】  本考案は、地震などの揺れを感知し扉をロックすることにより、収納箱に収納されている物品の飛び出しを防止する耐震ロック装置に関する。
【背景技術】
【０００２】  従来、食器や本箱のような収納箱では、地震のような強い揺れが発生すると、揺れにより扉が開き、収納されている食器や書籍が外へ放り出され大きな被害が発生することがある。そのため、地震発生時に扉をロックし、食器や書籍が外へ放り出されることを防ぐための方法が種々提案されている。たとえば、特許文献１には、以下に説明するような扉の耐震ロック装置が提案されている。すなわち、矩体と、この矩体の開口部に蝶着された扉とを有するキャビネットにおいて、扉の裏面に取付けられ、係合部を備えた係合部材と、矩体内の固定部材に枢着され前後方向に揺動自在とされたラッチ部材とからなり、キャビネットの振動時に上方に回動して係合部材の係合部と係止する係止部がラッチ部材の扉の側端部に設けられている。【０００３】
【特許文献１】  特開平１１−１８２１１９
【考案の開示】
【考案が解決しようとする課題】
【０００４】  しかしながら、従来の耐震ロック装置は別途キャビネットに取り付けられた磁石を利用しており、振動していない場合の扉の固定には、磁石の吸着で扉を閉止状態に保持し、扉を開ける際には、扉を磁石から剥がすように引っ張っている。すなわち、従来の耐震ロック装置は、地震などの揺れがあった場合に、収納箱へ扉をロックすることは行うが、通常の扉の開閉時には、別途磁石を取り付けるなどの手段を必要とした。
【課題を解決するための手段】
【０００５】  この考案の目的は、上述した事情に鑑みなされたもので、この考案の主たる目的は、従来の耐震ロック装置のように、通常の扉の開閉時のラッチに別手段を必要とすることなく、地震の揺れが発生した時に扉をロックすると共に、通常の扉の開閉時にもラッチすることが可能な耐震ロック装置を提供することである。【０００６】  上述した課題を解決し、目的を達成するため、この考案に係わる耐震ロック装置は、請求項１の記載によれば、ロック装置本体と、掛止部材とを具備する耐震ロック装置において、前記ロック装置本体は、回動軸を軸として回動可能な回動部材と、前記回動部材に係合する弾性部材と、中心を凹とする球面部と、前記球面部に載置され、振動により揺動する球体と、前記球体に載置され、前記球体の揺動を上下動の動作に変換する可動片と、を有する振動感知手段と、振動を感知することにより上下動する前記可動片の動作により揺動し、当該揺動により前記回動部材に当接することで前記回動部材の回動を不可とする、軸部を軸として揺動可能な回動係止部材と、を備えることを特徴とする。【０００７】  上述した課題を解決し、目的を達成するため、この考案に係わる耐震ロック装置は、請求項２の記載によれば、前記回動部材は、前記弾性部材が係合することにより前記掛止部材の掛け止めを保持する第一の係合溝と、前記弾性部材が係合することにより前記掛止部材の掛け止めの解除を保持する第二の係合溝と、を有することを特徴とする。【０００８】  上述した課題を解決し、目的を達成するため、この考案に係わる耐震ロック装置取付器具は、請求項３の記載によれば、前記ロック装置本体を嵌め合わせる第一の面と、前記第一の面の一辺に垂直に設けられ、前記ロック装置本体の取り付け位置を設定する起立片と、前記第一の面の一辺に、前記起立片と反対の方向に垂直に設けられ、前記掛止部材の取り付け位置に残痕を与える残痕爪を備える第二の面と、を具備することを特徴とする。
【考案の効果】
【０００９】  この考案によれば、従来の耐震ロック装置のように、通常の扉の開閉時のラッチに別手段を必要とすることなく、地震の揺れが発生した時に扉をロックすると共に、通常の扉の開閉時にもラッチすることが可能な耐震ロック装置が得られる。
【考案を実施するための最良の形態】
【００１０】（第一の実施例）
以下に本考案に係わる耐震ロック装置の実施の形態について図を用いて詳細に説明する。図１は、本考案の第一の実施例の耐震ロック装置を取り付けた扉の付いた収納箱の斜視図である。収納箱９は、上板９１と、側板９２と、下板９３と、棚板９４と、扉Ａ９５と、扉Ｂ９６とから概略構成される。上板９１は、内面部９１４を有する。扉Ａ９５は内面部９５２を、扉Ｂ９６は内面部９６２を、下板９３は内面部９３２をそれぞれ有する。収納箱９に取り付けられる耐震ロック装置１は２組であり、耐震ロック装置１Ａは、ロック装置本体２Ａと、掛止部材７Ａとから、耐震ロック装置１Ｂは、ロック装置本体２Ｂと、掛止部材７Ｂとから構成される。ロック装置本体２Ａとロック装置本体２Ｂは収納箱９の上板９１の内面部９１４に、掛止部材７Ａは扉Ａ９５の内面９５２に、掛止部材７Ｂは扉Ｂ９６の内面部９６２にそれぞれ取り付けられている。また、収納箱９内の棚板９４に物品Ａ９７２、物品Ｂ９７４が、下板９３の内面部９３２に物品Ｃ９７６、物品Ｄ９７８が載置されて収納されている。【００１１】  なお、図１は、本考案の耐震ロック装置１が２個、扉Ａ９５と扉Ｂ９６からなる両開きの収納箱に取り付けられている場合を示す図であるが、本実施例は、本考案の耐震ロック装置１が１個、扉Ａ９５からなる片開きの収納箱に取付けられる場合も含む。そのため、以下では、説明の簡略化のために、１個の耐震ロック装置１が扉Ａ９５を有する片開きの収納箱に取付けられている場合について説明する。【００１２】  地震などの強い揺れが無い通常時には、掛止部材７はロック装置本体２に掛け止めされ、扉９５はラッチされた状態となる。ここで、「ラッチされた状態」とは、扉を閉めた際に、掛止部材７の一部がロック装置本体２の一部に掛け止めされ、扉が閉止状態に保持されることを意味する。また、このラッチされた状態から扉を開ける際は、図示しない扉の引き手等を引っ張ってラッチされた状態を解除することにより行う。本考案の耐震ロック装置は、後に詳細に説明するように、扉の閉止状態の保持に別途の磁石等の保持手段が必要なく、確実に扉の閉止状態を維持でき、安定した状態を保つことが出来る。また、一旦地震などの強い揺れが発生すると、ロック装置本体２に掛け止めされた掛止部材７がロック装置本体２からはずれなくなり、扉Ａ９５は閉じたまま開かないロックされた状態となる。ここで、「ロックされた状態」とは、鍵がかかって（係止部材が作動して）開かない状態となることを意味し、力を入れるだけでは解除されない状態を示す。このロックされた状態は、地震などの強い揺れが収まると、掛止部材７がロック装置本体２からはずれなくなった状態（係止部材が作動した状態）から解除されて、ロック装置本体２に掛け止めされただけの状態に戻り、扉Ａ９５はラッチされた状態に戻る。なお、上記のラッチされた状態及びロックされた状態についての詳細な説明は後で行う。【００１３】  以上のように、地震などの強い揺れが発生すると、扉Ａ９５は閉じたまま開かないロックされた状態となり、収納箱９に収納されている物品Ａ９７２、物品Ｂ９７４、物品Ｃ９７６、物品Ｄ９７８などは、収納箱９の外に飛び出すことはない。しかし、地震などの強い揺れが収まると、扉Ａ９５はラッチされた状態となり、自由に物品を取り出すことが出来る。【００１４】  図２は、第一の実施例の耐震ロック装置が収納箱に取り付けられた状態を示す斜視図である。耐震ロック装置１は、ロック装置本体２と、掛止部材７とから構成される。ロック装置本体２は、本体ケース１０と、本体ケース１０に一部が収納された回動部材２０と、本体ケース１０が上板９１の内面部９１４に接する側に設けられた取付鍔Ａ１２０と、から概略構成される。なお、回動部材２０には、掛止部材７を掛け止めするための掛止凹部２３６が設けられている。また、取付鍔Ａ１２０には、取付楕円穴Ａ１２２が設けられており、ロック装置本体２は、この取付楕円穴１２２を挿通する第１のネジ１２３で上板９１の内面部９１４に固定される。【００１５】  また、掛止部材７は、扉Ａ９５の内面部９５２に取り付けられる取付台座７１０と、取付台座７１０の内面部９５２に取り付けられる面と反対の面に立設される起立片Ｂ７１８と、起立片Ｂ７１８と図示しない起立片Ａ７１６に掛け渡された掛止棒７３０とから概略構成される。また、取付台座７１０には、取付穴Ｂ７１４が設けられており、掛止部材７は、この取付穴Ｂ７１４を挿通する第２のネジ７２０で扉Ａ９５の内面部９５２に固定される。この図２のように、扉Ａ９５が閉められた状態では、掛止部材７の掛止棒７３０が回動部材２０の掛止凹部２３６に掛け止めされ、扉Ａ９５はラッチされた状態、即ち扉Ａ９５が閉止状態に保持された状態となる。【００１６】  図３は、第一の実施例の耐震ロック装置の詳細を示す図で、図３（ａ）は斜視図、図３（ｂ）は一部透視平面図である。耐震ロック装置１は、ロック装置本体２と、掛止部材７とから構成される。【００１７】  掛止部材７は、扉に取り付けられる取付台座７１０と、取付台座７１０の扉Ａ９５に取り付けられる面と反対の面に略垂直に立設される起立片Ａ７１６および起立片Ｂ７１８と、起立片Ａ７１６と起立片Ｂ７１８とに掛け渡され、回動部材２０の掛止凹部に掛け止められる掛止棒７３０とから概略構成される。また、取付台座７１０には、掛止部材７を扉Ａ９５に取り付けるためにねじを挿通する取付穴Ａ７１２及び取付穴Ｂ７１４が設けられている。【００１８】  また、ロック装置本体２は、本体ケース１０と、本体ケース１０に一部が収納された回動部材２０と、回動部材２０を係止する、本体ケース１０の回動係止部材収納部に収納された回動係止部材２５と、本体ケース１０に嵌め込まれ、回動係止部材収納部の蓋となる蓋部４５と、本体ケース１０の蓋部４５の側の両側面に各々設けられた取付鍔Ａ１２０および取付鍔Ｂ１２４と、から概略構成される。また、本体ケース１０の蓋部４５の側の両側面に設けられた取付鍔Ａ１２０および取付鍔Ｂ１２４には、ロック装置本体２を収納箱９等に取り付けるためにねじを挿通する取付楕円穴Ａ１２２および取付楕円穴Ｂ１２６とが各々設けられている。【００１９】  また、本体ケース１０の形状は、１つの面が曲面に形成された略直方体に、曲面に形成された面に向かい合う面の側に回動部材２０の一部が収納され、残りの部分が突出する別の略直方体が取り付けられて一体化した形状となっている。即ち、本体ケース１０を上側（蓋部４５の側）から見ると１つの辺が半円となった略長方形であり、また、本体ケースを横側から見るとＬ字状につなげられた２つの長方形である。また、当該別の略直方体には、回動部材２０の一部を突出させるための切り込みが設けられている。【００２０】  また、本体ケース１０の内部には、回動部材２０の回動軸Ａ２１６を軸支する回動部材軸受けＡ１４２と、回動部材２０の回動軸Ｂ２１８を軸支する回動部材軸受けＢ１４４が設けられている。さらに本体ケース１０の内部の回動係止部材収納部には、回動係止部材２５の軸部Ａ２５０を軸支する回動係止部材軸受けＡ１４６と、回動係止部材２５の軸部Ｂ２５２を軸支する回動係止部材軸受けＢ１４８とが設けられている。【００２１】  回動部材２０は、略円柱の形状を呈した部材本体２１０と、部材本体２１０の略円柱の一方の底面に設けられた回動軸Ａ２１６と、部材本体２１０の略円柱の他方の底面に設けられた回動軸Ｂ２１８と、部材本体２１０の略円柱の曲面に設けられ、回動係止部材２５が当接する回動係止壁２３０と、部材本体２１０の略円柱の曲面に設けられ、掛止部材７の掛止棒７３０が掛け止められる掛止凹部２３６とから構成される。また、回動軸Ａ２１６は回動部材軸受けＡ１４２に軸支され、回動軸Ｂ２１８は回動部材軸受けＢ１４４に軸支されている。さらに、回動軸Ａ２１６の軸の中心と回動軸Ｂ２１８の軸の中心は同一直線上にあり、回動部材２０はこの軸を中心に回動可能となっている。【００２２】  回動係止部材２５は、軸部Ａ２５０と、軸部Ｂ２５２と、回動部材２０を回動不能に係止する回動係止切片２６０と、後に説明する振動感知手段に接続された可動切片２６４とから構成される。また、軸部Ａ２５０は回動係止部材軸受けＡ１４６に軸支され、軸部Ｂ２５２は回動係止部材軸受けＢ１４８に軸支されている。さらに、軸部Ａ２５０の軸の中心と軸部Ｂ２５２の軸の中心は同一直線上であり、回動係止部材２５はこの軸を中心に回動可能となっている。この回動係止部材２５の回動により、軸部Ａ２５０および軸部Ｂ２５２を介して略対向する、回動係止切片２６０と可動切片２６４とは、軸部Ａ２５０および軸部Ｂ２５２を軸としてシーソー状に揺動する。【００２３】  また、回動係止切片２６０には重さ調整凹部２６２が設けられており、回動係止部材２５は、この重さ調整凹部２６２により、軸部Ａ２５０および軸部Ｂ２５２を軸として、回動係止切片２６０側が可動切片２６４側より軽くなっている。このため、地震などの強い揺れがない通常の場合、回動係止切片２６０は、軸部Ａ２５０および軸部Ｂ２５２を軸として蓋部４５の方向に持ち上がり、回動部材２０の回動係止壁２３０に当接しない位置に位置することになる。したがって、回動部材２０の回動は回動係止切片２６０により係止されることなく、扉はラッチされた状態となる。しかし、一旦地震などの強い揺れが発生すると、後に説明する振動感知手段により可動切片２６４が蓋部４５の方向に持ち上げられ、それに伴い回動係止切片２６０が回動部材２０の回動係止壁２３０に当接する位置まで下がり、回動部材２０が回動不能に係止されて、扉Ａ９５はラッチされた状態のまま固定された状態、すなわちロックされた���態となる。【００２４】  次に、図４および図５により、扉がラッチされる状態と、及び地震等の強い揺れにより扉がロックされる状態を説明する。図４及び図５は、図３（ｂ）の平面図のＡ−Ａ’で切断した部分断面図であり、図４は強い揺れが無い場合で扉がラッチされる状態を、図５は強い揺れがある場合で扉が閉じた状態でロックされる状態をそれぞれ説明している。【００２５】  図４は、地震などによる強い揺れが無い場合で、扉がラッチされる状態を示す説明図である。図４（ａ）は扉がラッチされて閉じた状態が保持されている状態を、図４（ｂ）は扉のラッチが解除されて開けられた状態を示す。【００２６】  耐震ロック装置１は、ロック装置本体２と、掛止部材７とから構成される。掛止部材７は、扉に取り付けられる取付台座７１０と、取付台座７１０の扉Ａ９５に取り付けられる面と反対の面に略垂直に立設される起立片Ａ７１６および図示しない起立片Ｂ７１８と、起立片Ａ７１６と起立片Ｂ７１８とに掛け渡され、回動部材２０の掛止凹部２３６に掛け止められる掛止棒７３０とから概略構成される。【００２７】  また、ロック装置本体２は、本体ケース１０と、本体ケース１０に一部が収納された回動部材２０と、回動部材２０を係止する、本体ケース１０の回動係止部材収納部１３２に収納された回動係止部材２５と、本体ケース１０に嵌め込まれ、回動係止部材収納部１３２の蓋となる蓋部４５と、振動感知手段と、から概略構成される。【００２８】  本体ケース１０の形状は、１つの面が曲面に形成された略直方体に、曲面に形成された面に向かい合う面に回動部材２０の一部が収納され、残りの部分が突出する別の略直方体が取り付けられて一体化した形状となっている。即ち、本体ケース１０を上側（蓋部４５の側）から見ると１つの辺が半円となった略長方形であり、また、本体ケースを横側から見るとＬ字状につなげられた２つの長方形である。また、当該別の略直方体には、回動部材２０の一部を突出させるための切り込みが設けられている。【００２９】  また、本体ケース１０の内部には、回動係止部材２５が収納された回動係止部材収納部１３２と、回動係止部材収納部１３２と仕切板１４９で仕切られ、後に説明する振動感知手段が収納された球体・可動片収容部１３０と、回動部材２０を一部収納する回動部材収納部と、仕切板１４９に取り付けられ、湾曲部６１０と折曲部６１２と平坦部６１４とを有する板バネ６０とが概略備えられている。また、板バネ６０は、平坦部６１４が仕切板１４９に設けられた板バネ押さえ部１５４に板バネ押さえ片１５２で挟み込まれることで、仕切板１４９に取り付けられている。【００３０】  回動部材２０は、略円柱の形状を呈した部材本体２１０と、部材本体２１０の略円柱の一方の底面に設けられた回動軸Ｂ２１８と、部材本体２１０の略円柱の他方の底面に設けられた図示しない回動軸Ａ２１６と、部材本体２１０の略円柱の曲面に設けられ、回動係止部材２５が当接する回動係止壁２３０と、部材本体２１０の略円柱の曲面に設けられ、掛止部材７の掛止棒７３０が掛け止められる掛止凹部２３６と、部材本体２１０の略円柱の曲面に設けられ、係合部材としての板バネ６０と係合するための第１の係合溝２３２およ��第２の係合溝２３４と、から構成される。なお、回動部材２０は、図示しない回動軸Ａ２１６が図示しない回動部材軸受けＡ１４２に軸支され、回動軸Ｂ２１８が図示しない回動部材軸受けＢ１４４に軸支されることで、回動自在となっている。また、回動係止壁２３０は、部材本体２１０の略円柱の曲面の周方向に設けられた段差である。【００３１】  ここで、扉がラッチされた状態となる仕組みについて説明する。掛止部材７の掛止棒７３０がロック装置本体２の回動部材２０の掛止凹部２３６の凹みに嵌め込まれる（図４（ａ）の状態）と、部材本体２１０の略円柱の曲面に設けられた第１の係合溝２３２に板バネ６０の湾曲部６１０が、板バネ６０の弾性力により係合されて（湾曲部６１０が第１の係合溝２３２に押し付けられて）、回動部材２０の回動が制限、すなわち回動が不可となる。この結果、掛止部材７はロック装置本体２に掛け止められ、扉がラッチされた状態となる。なお、この回動部材２０の回動の制限は、板バネ６０の弾性力によるものであり、扉がラッチされた状態、即ち、扉を閉止状態に保持することが可能な力であれば良いので、板バネ６０の弾性力で充分である。【００３２】  次に、扉がラッチされた状態から解除される仕組みについて説明する。扉の引き手等を引っ張ると、掛止部材７の掛止棒７３０から掛止凹部２３６に回動部材２０を回動させようとする力がかかる。この回動部材２０を回動させようとする力により、第１の係合溝２３２に係合されていた湾曲部６１０へ、係合を解除しようとする力（湾曲部６１０を第１の係合溝２３２から引き離す力）がかかり、係合が解除されて回動部材２０が回動する。この結果、掛止棒７３０が掛止凹部２３６の凹みからはずれて掛け止めが解除され、扉がラッチされた状態が解除される。【００３３】  さらに、扉がラッチされた状態が解除された後も、掛止棒７３０により回動部材２０が回動する。この結果、板バネ６０の湾曲部６１０は、回動部材２０の部材本体２１０の略円柱の曲面を滑るように移動し、第２の係合溝２３４に板バネ６０の弾性力により係合されて（湾曲部６１０が第２の係合溝２３４に押し付けられて）、回動部材２０の回動が再度制限されて（再度回動不可となって）、回動部材２０は図４（ｂ）の状態に保持される。【００３４】  この後、再度扉を閉めると、掛止部材７の掛止棒７３０が回動部材２０の掛止凹部２３６に嵌め込まれて回動部材２０を回動させようとする力がかかる。この回動部材２０を回動させようとする力により、第２の係合溝２３４に係合されていた湾曲部６１０へ、係合を解除しようとする力（湾曲部６１０を第２の係合溝２３４から引き離す力）がかかり、係合が解除されて回動部材２０が回動する。この後、さらに扉を閉めると、上記の扉がラッチされた状態となる仕組みについての説明のとおり、再度、扉がラッチされた状態となる。【００３５】  以上のように、この考案の耐震ロック装置は、後に再度説明する地震などの強い揺れの発生により扉が開かないようにロックすることが可能である装置であるとともに、地震などがない通常の状態では、開け閉めが容易な、扉をラッチさせるための通常の装置としても使用可能である。【００３６】  また、回動係止部材２５は��図示しない軸部Ａ２５０と、軸部Ｂ２５２と、回動部材２０を回動不能に係止する回動係止切片２６０と、後に説明する振動感知手段に接続された可動切片２６４とから構成される。なお、回動係止部材２５は、本体ケース１０の回動係止部材収納部１３２に収納されている。また、図示しない軸部Ａ２５０は、回動係止部材収納部１３２に設けられた図示しない回動係止部材軸受けＡ１４６に軸支され、軸部Ｂ２５２は、回動係止部材収納部１３２に設けられた図示しない回動係止部材軸受けＢ１４８に軸支されており、回動係止部材２５は、軸部Ａ２５０および軸部Ｂ２５２の軸を中心に回動可能となっている。また、この回動係止部材２５の回動により、軸部Ａ２５０および軸部Ｂ２５２を介して略対向する、回動係止切片２６０と可動切片２６４とは、軸部Ａ２５０および軸部Ｂ２５２を軸としてシーソー状に揺動する。【００３７】  また、回動係止切片２６０には重さ調整凹部２６２が設けられており、この重さ調整凹部２６２により、回動係止部材２５は、軸部Ａ２５０および軸部Ｂ２５２を軸として、回動係止切片２６０側が可動切片２６４側より軽くなっている。【００３８】  このような構成を持つ回動係止部材２５では、地震などの強い揺れがない通常の場合、回動係止部材２５の回動係止切片２６０が軸部Ａ２５０および軸部Ｂ２５２を軸として蓋部４５の方向に持ち上がり、回動部材２０の部材本体２１０の略円柱の曲面の周方向に設けられた段差で形成された回動係止壁２３０に当接しない位置に位置することになる（図４（ａ）および図４（ｂ）の回動係止切片２６０の位置）。したがって、回動部材２０の回動は回動係止切片２６０により係止されることなく、扉は、上述した扉がラッチされた状態となる仕組みについての説明のとおり、容易に開け閉めができる状態を維持する。【００３９】  また、可動切片２６４は、後に説明する振動感知手段に接続されている。回動係止部材２５は、図４（ａ）の状態で地震などの強い揺れが発生すると、可動切片２６４が振動感知手段によって蓋部４５の方向に持ち上げられ、それに伴い回動係止切片２６０が回動部材２０の部材本体２１０の略円柱の曲面の周方向に設けられた段差で形成された回動係止壁２３０に当接する位置まで下がり、回動部材２０を回動不能に係止する。（図５の状態）。この結果、扉がラッチされた状態、即ち掛止部材７の掛止棒７３０が回動部材２０の掛止凹部２３６の凹みに嵌め込まれた状態ではずれなくなり、扉はロックされる。【００４０】  また、振動感知手段は、本体ケース１０の内部に設けられ、回動係止部材収納部１３２と仕切板１４９で仕切られた球体・可動片収容部１３０と、球体・可動片収容部１３０の蓋として本体ケース１０の底部の仕切板１４９と向かい合う面に嵌め込まれ、球体・可動片収容部１３０の側の面に、中心を凹とする球面部４１２を有する基底部４０と、球面部４１２に動作可能に載置される球体３０と、球体３０に動作可能に載置される可動片３５とから概略構成されている。また、可動片３５は、一方の面が球体３０に当接される円形台座３５２と、一方端が円形台座３５２の他方の面の略中心に立設される心棒部３５０と、心棒部３５０の他方端である頭部３５１とから概略構成される。また、心棒部３５０は、仕切板１４９に設けられた可動片穴１５０に、球体・可動片収容部１３０の側から回動係止部材収納部１３２の側へ上下動可能に挿通され、頭部３５１が回動係止部材収納部１３２に収納された回動係止部材２５の可動切片２６４に若干接触するように配置されている。【００４１】  このような構成を持つ振動感知手段では、地震などの揺れがない場合、図４（ａ）及び図４（ｂ）に示すように、球体３０が中心を凹とする球面部４１２の略中心部に位置して、仕切部１４９から突出する頭部３５１の突出量が最小となる。この結果、頭部３５１は可動切片２６４を蓋部４５の方向へ押し上げないので、回動係止部材２５の回動係止切片２６０は軸部Ａ２５０および軸部Ｂ２５２を軸として蓋部４５の方向に持ち上がった状況、即ち回動係止壁２３０に当接しない位置を維持する。したがって、回動部材２０の回動は回動係止切片２６０により係止されることなく、扉は、上述した扉がラッチされた状態となる仕組みについての説明のとおり、容易に開け閉めができる状態を維持する。【００４２】  図５は、図４（ａ）の扉が閉じてラッチされた状態で、地震などによる強い揺れが発生して扉がさらにロックされた状態を説明する説明図である。なお、図５の部材番号は図４と共通であり、その説明を省略する。振動感知手段は、地震などの揺れがない場合は、図４（ａ）のとおり、球体３０が中心を凹とする球面部４１２の略中心部に位置して、仕切部１４９から突出する頭部３５１の量が最小となっている。この扉が閉じてラッチされた状態で、地震などによる強い揺れが発生すると、球面部４１２の上に載置された振動感知手段の球体３０は、中心を凹とする球面部４１２の球面に沿って前後・左右へ揺動したり上下へ振動する。この結果、球体３０に載置された可動片３５が上下動する。この可動片３５の上下動により、可動片３５の仕切部１４９から突出する頭部３５１の突出量が大きくなり、頭部３５１が回動係止部材２５の可動切片２６４を蓋部４５の方向へ押し上げる。【００４３】  また、回動係止部材２５は、軸部Ａ２５０および軸部Ｂ２５２を軸の中心として回動係止切片２６０と可動切片２６４とが略対向しているため、可動切片２６４の蓋部４５の方向への押し上げにより、回動係止切片２６０はシーソー状に揺動して回動部材２５の方向に押し下げられる。この結果、回動係止切片２６０は、回動部材２０の部材本体２１０の略円柱の曲面の周方向に設けられた段差で形成された回動係止壁２３０に当接する位置まで下がり、回動部材２０を回動不能に係止する。【００４４】  このように、扉がラッチされた状態で回動部材２０が回動不能に係止されると、掛止部材７の掛止棒７３０が回動部材２０の掛止凹部２３６の凹みに嵌め込まれた状態ではずれなくなり、扉はロックされる。このように、地震などの強い揺れが発生すると、扉は開かない状態にロックされ、収納箱に収納されている物品Ａ９７２、物品Ｂ９７４、物品Ｃ９７６、物品Ｄ９７８などは収納箱９の外に飛び出すことがなくなる。【００４５】  なお、この考案の耐震ロック装置は、図４（ｂ）のような、扉が開いた状態で地震等の大きな揺れが発生した際にも有効である。即ち、図４（ｂ）の��うに、扉が開いた状態においては、回動部材２０を回動不能に係止する回動係止部材２５の回動係止切片２６０は、回動部材２０の部材本体２１０の略円柱の曲面に当接していて、回動係止部材２５の軸部Ａ２５０および軸部Ｂ２５２を軸とするシーソー状の揺動運動が制限、すなわちシーソー状の揺動が不可の状態となっている。このため、扉を閉めることによる回動部材２０の回動、即ち掛止部材７の掛止棒７３０を回動部材２０の掛止凹部２３６に嵌め込むことによる回動部材２０の図中左周りの回動は可能であり、地震等の揺れが発生していても扉を閉めることにより扉がラッチ状態となることが可能である。この結果、扉はラッチされた後、即座に回動係止切片２６０が回動係止壁２３０に当接する位置まで下がり、回動部材２０が回動不能となって掛止棒７３０が掛止凹部２３６から外れなくなり、扉はロックされる。【００４６】  図４および図５で説明した通り、この考案の耐震ロック装置は、地震などの強い揺れの発生により扉が開かないようにロックすることが可能である装置であるとともに、地震などがない通常の状態では、開け閉めが容易な、扉をラッチさせるための装置としても使用可能である。さらには、この考案の耐震ロック装置は、扉が開いている状態でも、扉を閉めてラッチさせ、そのまま扉が開かないようにロックすることが可能である。【００４７】  図６は、本体ケース１０の構成を示す図で、図６（ａ）は本体ケース１０を蓋部４５側から見た正面図であり、図６（ｂ）は、図６（ａ）の正面図の直線Ａ−Ａ’に沿って切断した切断面である。本体ケース１０は、本体ケース１０が上板９１の内面部９１４に接する側（蓋部４５側）の一側面に設けられた取付鍔Ａ１２０と、取付鍔Ａ１２０に設けられた取付楕円穴Ａ１２２と、取付鍔Ａ１２０と向かい合った他側面に設けられた取付鍔Ｂ１２４と、取付鍔Ｂ１２４に設けられた取付楕円穴Ｂ１２６と、振動関知手段が収納される球体・可動片収容部１３０と、回動係止部材２５が収納される回動係止部材収容部１３２と、回動係止部材収容部１３２に設けられ、回動係止部材２５の軸部Ａ２５０を軸支する回動係止部材軸受けＡ１４６と、回動係止部材収容部１３２に設けられ、回動係止部材２５の軸部Ｂ２５２を軸支する回動係止部材軸受けＢ１４８と、回動部材２０の回動軸Ａ２１６を軸支する回動部材軸受けＡ１４２と、回動部材２０の回動軸Ｂ２１８を軸支する回動部材軸受けＢ１４４と、回動係止部材収容部１３２と球体・可動片収容部１３０とを仕切る仕切部１４９と、仕切部１４９に設けられ、振動関知手段の心棒部３５０が挿通される可動片穴１５０と、回動部材２０に係合する板バネ５０の一端を収納する板バネ押さえ部１５４と、板バネ５０が板バネ押さえ部１５４からはずれないようにとめる板バネ押さえ片１５２と、とから構成される。【００４８】  本体ケース１０の形状は、１つの面が曲面に形成された略直方体に、曲面に形成された面に向かい合う面に回動部材２０の一部が収納され、残りの部分が突出する別の略直方体が取り付けられて一体化した形状となっている。即ち、本体ケース１０を上側（蓋部４５の側）から見ると１つの辺が半円となった略長方形であり、また、本体ケースを横側から見る��Ｌ字状につなげられた２つの長方形である。また、当該別の略直方体には、回動部材２０の一部を突出させるための切り込みが設けられている。【００４９】  また、この実施例においては、本体ケース１０は、１つの面が曲面に形成された略直方体の内部に仕切部１４９で仕切られた回動係止部材収容部１３２と球体・可動片収容部１３０とが備えられている。また、回動係止部材収容部１３２は、回動部材２０の一部が収納され、残りの部分が突出する別の略直方体の内部に備えられた回動部材収納部と仕切りなしでつながっている。また、回動部材軸受けＡ１４２と回動部材軸受けＢ１４４とは、回動部材２０が回動部材収納部内で回動可能となる位置に設けられている。さらに軸部Ａ２５０と軸部Ｂ２５２とは、回動係止部材２５がシーソー状に揺動可能となる位置に設けられている。また、板バネ押さえ部１５４は、仕切部１４９の回動部材収納部側に設けられている。【００５０】  図７は、回動部材２０の構成を示す図で、図７（ａ）は側面図、図７（ｂ）は図７（ａ）を右から見た正面図である。回動部材２０は、略円柱の形状を呈した部材本体２１０と、部材本体２１０の略円柱の一方の底面に設けられた回動軸Ａ２１６と、部材本体２１０の略円柱の他方の底面に設けられた回動軸Ｂ２１８と、部材本体２１０の略円柱の曲面に設けられ、回動係止部材２５が当接する回動係止壁２３０と、部材本体２１０の略円柱の曲面に設けられ、掛止部材７の掛止棒７３０が掛け止められる掛止凹部２３６と、部材本体２１０の略円柱の曲面に設けられ、係合部材としての板バネ６０と係合するための第１の係合溝２３２および第２の係合溝２３４と、から構成される。なお、回動部材２０は、回動軸Ａ２１６は本体１０内の回動部材軸受けＡ１４２に軸支され、回動軸Ｂ２１８は本体１０内の回動部材軸受けＢ１４４に軸支されることで回動自在となっている。また、回動係止壁２３０は、部材本体２１０の略円柱の曲面の周方向に設けられた段差である。【００５１】  図８は、回動係止部材２５の構成を示す図で、図８（ａ）は平面図、図８（ｂ）は側面図である。回動係止部材２５は、回動係止部材２５の一側面に設けられた軸部Ａ２５０と、軸部Ａ２５０に向かい合う形で回動係止部材２５の他の側面に設けられた軸部Ｂ２５２と、回動部材２０を回動不能に係止する回動係止切片２６０と、振動感知手段に接続された可動切片２６４とから構成される。なお、回動係止部材２５は、本体ケース１０の回動係止部材収納部１３２に収納されている。また、軸部Ａ２５０は、回動係止部材収納部１３２に設けられた回動係止部材軸受けＡ１４６に軸支され、軸部Ｂ２５２は、回動係止部材収納部１３２に設けられた回動係止部材軸受けＢ１４８に軸支されており、回動係止部材２５は、軸部Ａ２５０および軸部Ｂ２５２の軸を中心に回動可能となっている。また、この回動係止部材２５の回動により、軸部Ａ２５０および軸部Ｂ２５２を介して略対向する、回動係止切片２６０と可動切片２６４とは、軸部Ａ２５０および軸部Ｂ２５２を軸としてシーソー状に揺動する。【００５２】  また、回動係止切片２６０には重さ調整凹部２６２が設けられており、この重さ調整凹部２６２により、回動係止部材２５は、軸部Ａ２５０および軸部Ｂ２５２を軸として、回動係止切片２６０側が可動切片２６４側より軽くなっている。【００５３】  図９は、可動片３５の構成を示す図で、図９（ａ）は平面図、図９（ｂ）は図９（ａ）の平面図の直線Ａ−Ａ’で切断した側面図である。可動片３５は、一方の面が球体３０に当接される円形台座３５２と、一方端が円形台座３５２の他方の面の略中心に立設される心棒部３５０と、心棒部３５０の他方端である頭部３５１とから概略構成される。また、心棒部３５０は、仕切板１４９に設けられた可動片穴１５０に、球体・可動片収容部１３０の側から回動係止部材収納部１３２の側へ上下動可能に挿通され、頭部３５１が回動係止部材収納部１３２に収納された回動係止部材２５の可動切片２６４に若干接触するように配置されている。【００５４】  図１０は、球体・可動片収容部１３０の蓋として仕切板１４９と向かい合う面に嵌め込まれる基底部４０の構成を示す図で、図１０（ａ）は側面図、図１０（ｂ）は平面図である。基底部４０は、球体・可動片収容部１３０の側の面が中心を凹とする球面となった球面部４１２と、嵌合部４１６とから構成される。基底部４０は、嵌合部４１６が図６に示す本体ケース１０に押し込み嵌め合わされ、本体ケース１０の底板を形成するものである。【００５５】  図１１は、蓋部４５の構成を示す図で、図１１（ａ）は回動係止部材収納部１３２の側から見た平面図、図１１（ｂ）は側面図である。蓋部４５は、上板９１の内面部９１４に接する面としての外面部４５２と、回動係止部材収納部１３２の側の面としての内面部４５４と、内面部４５４に設けられた第１の突起部４６０、第２の突起部４６２、第３の突起部４６４と、第４の突起部４６６とから構成される。蓋部４５は、本体ケース１０を説明する図６（ａ）の回動係止部材収納部１３２側に嵌め込まれ、本体ケース１０の蓋を形成するものである。【００５６】  また、第１の突起部４６０は回動係止部材軸受けＢ１４８に軸支された軸部Ｂ２５２が回動係止部材軸受けＢ１４８から外れないように、かつ、軸部Ｂ２５２が回動不能とならないように、若干隙間を空けて設置されている。また、第２の突起部４６２も同様に、回動係止部材軸受けＡ１４６に軸支された軸部Ａ２５０が回動係止部材軸受けＡ１４６から外れないように、かつ、軸部Ａ２５０が回動不能とならないように、若干隙間を空けて設置されている。【００５７】  さらに、第３の突起部４６４は回動部材軸受けＢ１４４に軸支された回動軸Ｂ２１８が回動部材軸受けＢ１４４から外れないように、かつ、回動軸Ｂ２１８が回動不能とならないように、若干隙間を空けて設置されている。また、第４の突起部４６６も同様に、回動部材軸受けＡ１４２に軸支された回動軸Ａ２１６が回動部材軸受けＡ１４２から外れないように、かつ、回動軸Ａ２１６が回動不能とならないように、若干隙間を空けて設置されている。【００５８】  図１２は、板バネ６０の構成を示す図で、図１２（ａ）は側面図、図１２（ｂ）は平面図である。板バネ６０は、回動部材２０の第１の係合溝２３２もしくは第２の係合溝２３４と弾性力で係合する湾曲部６１０と、折曲部６１２と、平坦部６１４とから構成されている。この板バネ６０は、平坦部６１４が仕切板１４９に設けられた板バネ押さえ部１５４に板バネ押さえ片１５２で挟み込まれることで、仕切板１４９に取り付けられている。【００５９】  図１３は、掛止部材７の構成を示す斜視図である。掛止部材７は、扉Ａ９５の内面部９５２に取り付けられる取付台座７１０と、取付台座７１０の内面部９５２に取り付けられる面と反対の面に立設される起立片Ａ７１６および起立片Ｂ７１８と、起立片Ｂ７１８と起立片Ａ７１６に掛け渡された掛止棒７３０とから概略構成される。また、取付台座７１０には、取付穴Ａ７１２および取付穴Ｂ７１４が設けられており、掛止部材７は、この取付穴Ａ７１２および取付穴Ｂ７１４に挿通される２個のネジで扉Ａ９５の内面部９５２に固定される。【００６０】（第二の実施例）
以下に本考案に係わる耐震ロック装置の第二の実施の形態について説明する。図１４は、地震などによる強い揺れが無い場合で、扉がラッチされる状態を示す説明図であり、図１４（ａ）は扉がラッチされて閉じた状態が保持されている状態を、図１４（ｂ）は扉のラッチが解除されて開けられた状態を示している。図１５は強い揺れがある場合で扉が閉じた状態でロックされる状態をそれぞれ説明している。なお、第一の実施例では板バネ６０が使用されていたが、本実施例ではコイルバネ部５０が使用されている。その他の構成について、第一の実施例と同じ部材には同一の部材番号を使用し説明を省略する。【００６１】  耐震ロック装置１は、ロック装置本体２と、掛止部材７とから構成される。また、ロック装置本体２の本体ケース１０の内部には、回動係止部材２５が収納された回動係止部材収納部１３２と、回動係止部材収納部１３２と仕切板１４９で仕切られ、振動感知手段が収納された球体・可動片収容部１３０と、回動部材２０を一部収納する回動部材収納部と、仕切板１４９に設けられたコイルバネ部５０とが概略備えられている。【００６２】  また、コイルバネ部５０は、コイルバネ５１６と、一端に係合凸部５１４が設けられ、他端の開口部からコイルバネ５１６を挿入する円筒状の収容器５１０とから構成されている。この係合凸部５１４はコイルバネ５１６の弾性力により回動部材収納部側に突出するようになっており、回動部材２０の第１の係合溝２３２および第２の係合溝２３４とこの係合凸部５１４とが弾性的に係合される。【００６３】  ここで、扉がラッチされた状態となる仕組みについて説明する。掛止部材７の掛止棒７３０がロック装置本体２の回動部材２０の掛止凹部２３６の凹みに嵌め込まれる（図１４（ａ）の状態）と、部材本体２１０の略円柱の曲面に設けられた第１の係合溝２３２に係合凸部５１４が、コイルバネ５１６の弾性力により係合されて（係合凸部５１４が第１の係合溝２３２に押し付けられて）、回動部材２０の回動が制限される。この結果、掛止部材７はロック装置本体２に掛け止められ、扉がラッチされた状態となる。なお、この回動部材２０の回動の制限は、コイルバネ５１６の弾性力によるものであり、扉がラッチされた状態、即ち、扉を閉止状態に保持することが可能な力であれば良いので、コイルバネ５１６の弾性力で充分である。【００６４】  次に、扉がラッチされた状態から解除される仕組みについて説明する。扉の引き手等を引っ張ると、掛止部材７の掛止棒７３０から掛止凹部２３６に回動部材２０を回動させようとする力がかかる。この回動部材２０を回動させようとする力により、第１の係合溝２３２に係合されていた係合凸部５１４へ、係合を解除しようとする力（係合凸部５１４を第１の係合溝２３２から引き離す力）がかかり、コイルバネ５１６が押縮されることで係合が解除されて回動部材２０が回動する。この結果、掛止棒７３０が掛止凹部２３６の凹みからはずれて掛け止めが解除され、扉がラッチされた状態が解除される。【００６５】  さらに、扉がラッチされた状態が解除された後も、掛止棒７３０により回動部材２０が回動する。この結果、係合凸部５１４は、回動部材２０の部材本体２１０の略円柱の曲面を��るように移動し、第２の係合溝２３４にコイルバネ５１６の弾性力により係合されて（係合凸部５１４が第２の係合溝２３４に押し付けられて）、回動部材２０の回動が再度制限されて、回動部材２０は図１４（ｂ）の状態に保持される。【００６６】  この後、再度扉を閉めると、掛止部材７の掛止棒７３０が回動部材２０の掛止凹部２３６に嵌め込まれて回動部材２０を回動させようとする力がかかる。この回動部材２０を回動させようとする力により、第２の係合溝２３４に係合されていた係合凸部５１４へ、係合を解除しようとする力（係合凸部５１４を第２の係合溝２３４から引き離す力）がかかり、コイルバネ５１６が押縮されることで係合が解除されて回動部材２０が回動する。この後、さらに扉を閉めると、上記の扉がラッチされた状態となる仕組みについての説明のとおり、再度、扉がラッチされた状態となる。【００６７】  なお、第一の実施例と同様に、この第二の実施例においても、地震などの強い揺れがない通常の場合、回動係止部材２５の回動係止切片２６０は回動係止壁２３０に当接しない位置に位置している（図１４（ａ）および図１４（ｂ）の回動係止切片２６０の位置）。したがって、回動部材２０の回動は回動係止切片２６０により係止されることなく、扉は容易に開け閉めができる状態を維持する。【００６８】  また、第一の実施例と同様に、この第二の実施例においても、図１４（ａ）の状態で地震などの強い揺れが発生すると、可動切片２６４が振動感知手段によって蓋部４５の方向に持ち上げられ、それに伴い回動係止切片２６０が回動係止壁２３０に当接する位置まで下がり、回動部材２０を回動不能に係止する。（図５の状態）。この結果、扉がラッチされた状態、即ち掛止部材７の掛止棒７３０が回動部材２０の掛止凹部２３６の凹みに嵌め込まれた状態ではずれなくなり、扉はロックされる。【００６９】  なお、第一の実施例と同様に、この第二の実施例においても、図１４（ｂ）のような、扉が開いた状態で地震等の大きな揺れが発生した際にも有効である。即ち、図１４（ｂ）のように、扉が開いた状態においては、回動部材２０を回動不能に係止する回動係止切片２６０は、回動部材２０の部材本体２１０の略円柱の曲面に当接していて、回動係止部材２５の軸部Ａ２５０および軸部Ｂ２５２を軸とするシーソー状の揺動運動が制限されている。このため、扉を閉めることによる回動部材２０の回動、即ち掛止部材７の掛止棒７３０を回動部材２０の掛止凹部２３６に嵌め込むことによる回動部材２０の図中左周りの回動は可能であり、地震等の揺れが発生していても扉を閉めることにより扉がラッチ状態となることが可能である。この結果、扉はラッチされた後、即座に回動係止切片２６０が回動係止壁２３０に当接する位置まで下がり、回動部材２０が回動不能となって掛止棒７３０が掛止凹部２３６から外れなくなり、扉はロックされる。【００７０】  以上のように、第二の実施例の耐震ロック装置は、第一の実施例と同様に、地震などの強い揺れの発生により扉が開かないようにロックすることが可能である装置であるとともに、地震などがない通常の状態では、開け閉めが容易な、扉をラッチさせるための通常の装置としても使用可能である。【００７���】  さらに、第二の実施例の耐震ロック装置は、第一の実施例と同様に、地震などの強い揺れの発生により扉が開かないようにロックすることが可能である装置であるとともに、扉を開けている状態で地震が発生しても、回動係止部材２５に邪魔されることなく扉を閉めることが可能であり、この扉を閉めることにより、扉がラッチされ、さらにそのまま扉が開かないようにロックすることが可能である。【００７２】  図１６は、第二の実施例における本体ケース１０の構成を示す図で、図１６（ａ）は本体ケース１０を蓋部４５側から見た正面図であり、図１６（ｂ）は、図１６（ａ）の正面図の直線Ａ−Ａ’に沿って切断した切断面である。なお、第一の実施例における本体ケース１０（図６）において、同じ部材には同一の部材番号を使用し説明を省略する。【００７３】  図１６における本体ケース１０は、第一の実施例における板バネ押さえ部１５４および板バネ押さえ部１５４の代わりに、コイルバネ部５０を収納するコイルバネ部収納部１５６が、仕切部１４９の回動部材収納部側に設けられている。【００７４】  図１７は、コイルバネ部５０を構成する部材を示す図であり、図１７（ａ）はコイルバネ部５０の収容器５１０の断面図、図１７（ｂ）はコイルバネの斜視図である。コイルバネ部５０は、コイルバネ５１６と、一端に係合凸部５１４が設けられ、他端の開口部からコイルバネ５１６を挿入して収納するコイルバネ収納穴部５１２を備える円筒状の収容器５１０とから構成されている。このコイルバネ部５０は、コイルバネ部収納部１５６に係合凸部５１４が若干突出するように収納されている。【００７５】  なお、第一の実施例の耐震ロック装置及び第二の実施例の耐震ロック装置においては、本体ケース１０と、回動部材２０と、回動係止部材２５と、可動片３５と、基底部４０と、蓋部４５と、コイルバネ部５０と、掛止部材７は、ステンレス、鋼材等の金属を用いても良いし、ポリカーボネート、ＡＢＳ樹脂（アクリルニトリル・ブタジエン・スチレン樹脂）などのプラスチック材料を用いてもよい。なお、材料にこれらのプラスチックを用いると、軽量、耐衝撃性、耐熱性、不燃性を付与することが可能であり、さらに加工性や加工費用の点からも有利である。また、球体３０の材料は、プラスチックや樹脂等のどのようなものでも使用が可能であるが、鉄や黄銅などの金属材料を用いると、その重量により地震に対する感度が上がることが期待される。また、板バネ６０、コイルバネ５１６は、弾性力を有する材料であればどのような材料を使用してもよく、例えばステンレスやピアノ線などの鋼材を用いることが可能である。【００７６】  次に、本考案に係わる耐震ロック装置を収納箱に取り付けるための耐震ロック装置取付器具の実施の形態を、図１８及び図１９を用いて詳細に説明する。図１８は、耐震ロック装置取付器具の構成を示す図で、図１８（ａ）は平面図、図１８（ｂ）は図１８（ａ）の断面図、図１８（ｃ）は正面図である。耐震ロック装置取付器具８は、耐震ロック装置１のロック装置本体２及び係止部材７の取付位置を決めるためのものである。耐震ロック装置取付器具８は、基板８１０と、第１の突起部８１２と、第２の突起部８１４と、第１の爪部８１６と���第２の爪部８１８と、第１の起立片８２０と、第２の起立片８２２と、第３の起立片８２４と、第１の残痕爪８３０と、第２の残痕爪８３２から構成される。【００７７】  耐震ロック装置取付器具８は、略長方形の基板８１０の一方の辺に、基板８１０と同一平面内で延出して突き出す第１の突起部８１２及び第２の突起部８１４が設けられ、当該第１の突起部８１２の先端に設けられた第１の爪部８１６と、当該第２の突起部の先端に設けられた第２の爪部８１８とが互いに対向するように設けられている。この基板８１０と第１の突起部８１２と第２の突起部８１４と第１の爪部８１６と第２の爪部８１８に囲まれた部分は、ロック装置本体２の蓋部４５側の上面部が嵌め込まれるように構成されている。また、この基板８１０の他方の辺には、当該基板８１０の一方の面側に、略長方形の第２の起立片８２２及び第３の起立片８２４が基板８１０に対し直角に起立する状態で設置され、当該基板８１０の他方の面側に、略長方形の第１の起立片８２０が基板８１０に対し直角に起立する状態で設置されている。さらに、第１の起立片８２０の、基板８１０に対し直角に起立する状態で設置された辺と反対の辺に、第１の残痕爪８３０及び第２の残痕爪８３２が、第１の起立片８２０の基板８１０の側の面と反対の面から直角に起立する状態で設置されている。また、第１の残痕爪８３０及び第２の残痕爪８３２は、先端が鋭利な爪状となっている。この第１の残痕爪８３０及び第２の残痕爪８３２は、扉Ａ９５の内面部９５２に取り付ける掛止部材７の取付位置を決めるためのものである。【００７８】  図１９は、耐震ロック装置取付器具８による耐震ロック装置の取り付け方法を説明する図で、図１９（ａ）は側面図を用いた説明図、図１８（ｂ）は平面図を用いた説明図である。なお、図中の部材番号は、第一の実施例および第二の実施例で説明した耐震ロック装置と、図１８で説明した耐震ロック装置取付器具８の部材番号と同一である。なお、９１６は、収納箱９の上板９１の扉側側面であると扉接触部を示しており、扉Ａ９５を閉めた際に扉Ａ９５の内面部９５２が接触する面である。【００７９】  耐震ロック装置１のロック装置本体２及び掛止部材７の収納箱９への取付は、耐震ロック装置取付器具８を用いて以下のようになされる。まず、ロック装置本体２を取り付けたい任意の位置に、耐震ロック装置取付器具８の基板８１０と第１の突起部８１２と第２の突起部８１４と第１の爪部８１６と第２の爪部８１８とからなる面を接触させ配置する。次に、耐震ロック装置取付器具８の第２の起立片８２２と及び第３の起立片８２４の基板８１０の一方の面側を、収納箱９の上板９１の扉接触部９１６に接触させ押し付ける。この状態で、基板８１０と第１の突起部８１２と第２の突起部８１４と第１の爪部８１６と第２の爪部８１８に囲まれた部分に、ロック装置本体２の上面部を嵌め込んだ状態で、取付楕円穴Ａ１２２および取付楕円穴Ｂ１２６の各々にネジを挿通してロック装置本体２を固定する。【００８０】  次に、収納箱９の上板９１の内面部９１４に取り付けたロック装置本体２に耐震ロック装置取付器具８を取り付けたままで、収納箱９の扉Ａ９５を閉じる。この時、収納箱９の扉Ａ９５の��面部９５２に、耐震ロック装置取付器具８の第１の残痕爪８３０と第２の残痕爪８３２とがぶつかり、この状態でさらに扉Ａ９５を押しつけると、第１の残痕爪８３０の傷跡Ｑと、第２の残痕爪８３２の傷跡Ｐが扉Ａ９５の内面部９５２に残る。この２箇所の傷跡は、掛止部材７の取付台座７１０に設けられた取付穴Ａ７１２と取付穴Ｂ７１４の取付位置を決めるものである。この２箇所の傷跡ＰおよびＱに取付穴Ａ７１２および取付穴Ｂ７１４を合わせて、掛止部材７をネジにより扉Ａ９５の内面部９５２に取り付ける。掛止部材７の扉Ａ９５への取り付けが完了したら、耐震ロック装置取付器具８を取り除く。このような手順で、耐震ロック装置１のロック装置本体２及び掛止部材７は収納箱９に取り付けられる。なお、耐震ロック装置取付器具８の基板８１０の巾は、扉Ａ９５を閉めた際に、掛止部材７がロック装置本体２にラッチされ、また、ラッチの解除がされる最適の巾に設定されている。【００８１】  なお、本考案は、上述した実施例に限定されることなく、この考案の趣旨を逸脱しない範囲で、種々の変形が可能であることは言うまでもない。例えばロック装置本体２は、上板９１に取り付けると説明したが、振動感知手段と回動係止部材２５が動作をすれば側板９２や下板９３に取り付けることも可能である。【００８２】  また、上述した実施例では、ロック装置本体２を上板９１に取り付け、掛止部材７を扉に取り付けると説明したが、例えばロック装置本体２と掛止部材７の大きさを小さくすることで、掛止部材７を上板９１や側板９２または下板９３に取り付け、ロック装置本体２を扉に取り付けることも可能である。【００８３】  また、上述した実施例では、掛止棒７３０が回動部材２０の掛止凹部２３６に嵌め込まれて掛け止められると説明したが、ロック装置本体２と掛止部材７とが嵌め込まれて掛け止められる構成であればよく、例えば回動部材２０に凸部を設け、掛止棒７３０の代わりに凹部を設けて嵌め込ませるようにしてもよいし、掛止棒７３０を掛止球体として、掛止凹部２３６に嵌め込まれるようにしても良いことは言うまでもない。【００８４】  さらにまた、上述した実施例では、振動感知手段に球体３０を使用すると説明したが、可動片３５が上下動する構成であればよく、例えば球体３０の代わりに、地震等の揺れで振動するバネ等の弾性部材を用いても良いことは言うまでもない。【００８５】  さらにまた、上述した実施例では、回動係止部材２５は重さ調整凹部２６２で地震等の揺れがないときに回動係止切片２６０が蓋部４５側に持ち上がると説明したが、回動係止切片２６０が蓋部４５側に持ち上がるように構成された回動係止部材２５であればどのようなものでも良く、例えば、重さ調整凹部２６２の代わりに、可動切片２６４側に金属等の重りを入れたり、または、回動係止切片２６０の形状を細くすることで軽くしたりして、回動係止切片２６０が蓋部４５側に持ち上がるようにしても良いことは言うまでもない。【００８６】  さらにまた、回動係止部材２５の回動係止切片２６０は、回動部材２０の回動係止壁２３０に当接することで、回動係止部材２５の回動を不可とするとの説明をしたが、回動係止切片２６０が当接する箇所が回動係止壁２３０に��限されるわけではなく、回動部材２５の回動が不可となれば、回動部材２５に設けられた溝に回動係止切片２６０が嵌め込まれたり、回動部材２５に設けられた凸部が回動係止切片２６０にと当接することで、回動部材２５の回動を不可としても良いことは言うまでもない。
【図面の簡単な説明】
【００８７】
【図１】  本考案の第一の実施例の耐震ロック装置を取り付けた扉の付いた収納箱の斜視図。
【図２】  第一の実施例の耐震ロック装置が収納箱に取り付けられた状態を示す斜視図。
【図３】  第一の実施例の耐震ロック装置の詳細を示す図。
【図４】  第一の実施例の耐震ロック装置で、強い揺れが無い場合での扉がラッチされる状態を示す図。
【図５】  第一の実施例の耐震ロック装置で、強い揺れがある場合での扉が閉じた状態でロックされる状態を示す図。
【図６】  第一の実施例の本体ケース１０の構成を示す図。
【図７】  第一の実施例の回動部材２０の構成を示す図。
【図８】  第一の実施例の回動係止部材２５の構成を示す図。
【図９】  第一の実施例の可動片３５の構成を示す図。
【図１０】  第一の実施例の基底部４０の構成を示す図。
【図１１】  第一の実施例の蓋部４５の構成を示す図。
【図１２】  第一の実施例の板バネ６０の構成を示す図。
【図１３】  第一の実施例の掛止部材７の構成を示す斜視図。
【図１４】  第二の実施例の耐震ロック装置で、強い揺れが無い場合での扉がラッチされる状態を示す図。
【図１５】  第二の実施例の耐震ロック装置で、強い揺れがある場合での扉が閉じた状態でロックされる状態を示す図。
【図１６】  第二の実施例の本体ケース１０の構成を示す図。
【図１７】  第二の実施例のコイルバネ部５０を構成する部材を示す図。
【図１８】  耐震ロック装置取付器具８の構成を示す図。
【図１９】  耐震ロック装置取付器具８による耐震ロック装置の取り付け方法を説明する図。
【符号の説明】
【００８８】１  耐震ロック装置
２  ロック装置本体
１０    本体ケース
１２０  取付鍔Ａ
１２２  取付楕円穴Ａ
１２３  第１のネジ
１２４  取付鍔Ｂ
１２６  取付楕円穴Ｂ
１３０  球体・可動片収容部
１３２  回動係止部材収容部
１４２  回動部材軸受けＡ
１４４  回動部材軸受けＢ
１４６  回動係止部材軸受けＡ
１４８  回動係止部材軸受けＢ
１４９  仕切部
１５０  可動片穴
１５２  板バネ押さえ片
１５４  板バネ押さえ部
１５６  コイルバネ部収容部
２０  回動部材
２１６  回動軸Ａ
２１８  回動軸Ｂ
２３０  回動係止壁
２３２  第１の係合溝
２３４  第２の係合溝
２３６  掛止凹部
２５  回動係止部材
２５０  軸部Ａ
２５２  軸部Ｂ
２６０  回動係止切片
２６２  重さ調整凹部
２６４  可動切片
３０  球体
３５  可動片
３５０  心棒部
３５１  頭部
３５２  円形台座
４０  基底部
４１２  球面部
４１６  嵌合部
４５  蓋部
４５２  外面部
４５４  内面部
４６０  第１の突起部
４６２  第２の突起部
４６４  第３の突起部
４６６  第４の突起部
５０  コイルバネ部
５１０  収容器
５１２  コイルバネ収納穴部
５１４  係合凸部
５１６  コイルバネ
６０  板バネ
６１０  湾曲部
６１２  凸部
６１４  平坦部
７  掛止部材
７Ａ  掛止部材Ａ
７Ｂ  掛止部材Ｂ
７１０  取付台座
７１２  取付穴Ａ
７１４  取付穴Ｂ
７１６  起立片Ａ
７１８  起立片Ｂ
７２０  第２のネジ
７３０  掛止棒
８  装置取付器具
８１０  基板
８１２  第１の突起部
８１４  第２の突起部
８１６  第１の爪部
８１８  第２の爪部
８２０  第１の起立片
８２２  第２の起立片
８２４  第３の起立片
８３０  第１の残痕爪
８３２  第２の残痕爪
９  収納箱
９１  上板
９１４  内面部
９１６  扉接触部
９２  側板
９３  下板
９３２  内面部
９４  棚板
９５  扉Ａ
９５２  内面部
９６  扉Ｂ
９６２  内面部
９７２  物品Ａ    ９７４  物品Ｂ    ９７６  物品Ｃ    ９７８  物品Ｄ
【図１】
0003120011.tif 000003
【図２】
0003120011.tif 000004
【図３】
0003120011.tif 000005
【図４】
0003120011.tif 000006
【図５】
0003120011.tif 000007
【図６】
0003120011.tif 000008
【図７】
0003120011.tif 000009
【図８】
0003120011.tif 000010
【図９】
0003120011.tif 000011
【図１０】
0003120011.tif 000012
【図１１】
0003120011.tif 000013
【図１２】
0003120011.tif 000014
【図１３】
0003120011.tif 000015
【図１４】
0003120011.tif 000016
【図１５】
0003120011.tif 000017
【図１６】
0003120011.tif 000018
【図１７】
0003120011.tif 000019
【図１８】
0003120011.tif 000020
【図１９】
0003120011.tif 000021